(57)【特許請求の範囲】
【請求項１】
金属粉、塩類及び水を含有し、金属粉の酸化に伴って水蒸気を放出する水蒸気発生組成物が袋体に収容されており、該袋体が、ＪＩＳ  Ｚ０２０８法で規定される透湿度が１０００ｇ／ｍ2／２４ｈ以上１００００ｇ／ｍ2／２４ｈ以下、かつＪＩＳ  Ｐ８１１７法で規定される透気度が２〜１００秒／１００ｃｍ3の透湿性シートからなる水蒸気発生体。
【請求項２】
皮膚又は粘膜に適用される水蒸気発生体であって、袋体の、皮膚又は粘膜への適用面が、透湿度１０００ｇ／ｍ2／２４ｈ以上１００００ｇ／ｍ2／２４ｈ以下、透気度２〜１００秒／１００ｃｍ3の透湿性シートからなる請求項１記載の水蒸気発生体。
【請求項３】
水蒸気発生体から放出される水蒸気が５０℃以下に制御されている請求項１又は２記載の水蒸気発生体。
【発明の詳細な説明】
【０００１】
【発明の属する技術分野】
本発明は、皮膚又は粘膜を含めて任意の対象物に簡便にかつ安全に水蒸気を供給することのできる水蒸気発生体に関する。
【０００２】
【従来の技術】
従来より、皮膚に適度に加熱された水蒸気を供給し、それにより皮膚の血行を促進させ、また、皮膚を好ましい保湿状態に維持あるいは改善するため、スチーム美顔器、蒸しタオル等が利用されている。
【０００３】
【発明が解決しようとする課題】
しかしながら、スチーム美顔器や蒸しタオルは任意の場所で随時利用できるとは限らない。また、スチーム美顔器は、顔以外の身体の任意の部位に利用することが困難である。さらに、蒸しタオルは、十分な蒸気を供給できる維持時間が短いという問題もある。
【０００４】
水蒸気の供給方法としては、電気ヒーターや超音波を使用して水蒸気を発生させる手法がある。しかし、これらの方法も任意の場所で利用できるとは限らない。また、酸とアルカリの中和熱、無機塩の水和熱、鉄粉のような金属粉の酸化熱等の化学エネルギーを利用する方法もあるが、これらを単に利用しても、発生する水蒸気の温度が制御されていないため、身体に直接適用するには安全性の面で問題がある。
【０００５】
このような問題に対し、本発明者らは、皮膚又は粘膜に適用される水蒸気発生体であって、金属の酸化熱を利用した水蒸気発生組成物からなる水蒸気発生部を有し、皮膚又は粘膜への適用面が透湿量４０００ｇ／ｍ２／２４ｈ以上の透湿性シートからなり、その適用面からの水蒸気放出量が０．０１ｍｇ／ｃｍ２／ｍｉｎ以上であり、放出される水蒸気温度が５０℃以下に制御されている水蒸気発生体を提案した（特許３０４９７０７号）。
【０００６】
しかしながら、特許３０４９７０７号の水蒸気発生体は、シートの透湿度を高くすると、水蒸気発生組成物中に含有されている微粒子粉体がシートを通して少量洩れ出すという問題を有していた。
【０００７】
そこで本発明は、微粒子粉体の洩れがなく、任意の適用対象物あるいは任意の部位に安全に適用することのできる水蒸気発生体を提供することを目的とする。
【０００８】
【課題を解決するための手段】
本発明者らは、微粒子粉体の洩れのない水蒸気発生体について、鋭意検討した結果、金属の酸化熱を利用した水蒸気発生組成物を収容する袋体の構成素材として、特定の透湿度と透気度を有するシートを使用すると、水蒸気を十分な量で、かつ粉洩れなく供給できることを見出した。
【０００９】
即ち、本発明は、金属粉、塩類及び水を含有し、金属粉の酸化に伴って水蒸気を放出する水蒸気発生組成物が袋体に収容されており、該袋体が、ＪＩＳ  Ｚ０２０８法で規定される透湿度が１０００ｇ／ｍ2／２４ｈ以上１００００ｇ／ｍ2／２４ｈ以下、かつＪＩＳ  Ｐ８１１７法で規定される透気度が２〜１００秒／１００ｃｍ3の透湿性シートからなる水蒸気発生体を提供する。
【００１０】
特に、好ましい態様として、水蒸気発生体から放出される水蒸気の温度が５０℃以下に制御されているものを提供する。
【００１１】
【発明の実施の形態】
以下、本発明を詳細に説明する。
【００１２】
本発明の水蒸気発生体は、任意の対象物に適用することができ、特に、皮膚又は粘膜に好ましく適用できるものである。ここで、水蒸気発生体を皮膚又は粘膜に適用するとは、例えば、水蒸気発生体を皮膚又は粘膜に貼付などにより接触させることをいう。また、本発明において水蒸気発生体から放出される水蒸気とは、水が気化して気体状になったもの及びその気体が凝結して微細な水滴になったものの双方を含む。
【００１３】
本発明の水蒸気発生体は、金属粉、塩類及び水を含有し、金属粉の酸化に伴って水蒸気を放出する水蒸気発生組成物を使用する。この水蒸気発生組成物に使用する金属粉としては、経済性の点から、鉄粉が好ましい。鉄粉は、次式
【００１４】
【化１】
Ｆｅ＋（３／４）Ｏ２＋（３／２）Ｈ２Ｏ→Ｆｅ（ＯＨ）３＋９６ｋｃａｌ
のように発熱反応をおこし、系内の水を水蒸気として放出する。
【００１５】
鉄粉としては、具体的には、鋳鉄粉、還元鉄粉、電気分解鉄粉、スクラップ鉄粉等をあげることができ、中でも還元鉄粉が好ましい。また、水蒸気発生組成物の酸化反応を効率的に行うため、鉄粉としては、比表面積が４００ｇ／ｍ２以上の鉄粉を５０重量％以上含んでいるものが好ましい。水蒸気発生組成物における鉄粉の配合割合は、２０〜８０重量％が好ましく、３０〜６０重量％がより好ましい。
【００１６】
水蒸気発生組成物に使用する金属粉としては、鉄粉の他に、アルミニウム、亜鉛、銅等の金属粉も使用することができる。
【００１７】
水蒸気発生組成物に含有させる塩類としては、塩化ナトリウム、塩化カリウム、塩化カルシウム、塩化マグネシウム等をあげることができる。
また、水蒸気発生組成物には、保水剤（バーミキュライト、ケイ酸カルシウム、シリカゲル、シリカ系多孔質物質、アルミナ、パルプ、木粉、吸水性ポリマー等）や、反応促進剤（活性炭、カーボンブラック、黒鉛等）などの種々の成分を含有させることができる。
【００１８】
なお、本発明で使用する水蒸気発生組成物は、一般に化学カイロと称されている発熱体で利用されている組成物と同様のものである。しかしながら、化学カイロは基本的に温熱具として構成されているので、適度な通気性を有し、かつ、反応に必要な水が発熱体から逃げないように留意されている。そのため、化学カイロの発熱体を収容する袋は、通気性素材で構成されるが、積極的に透湿性素材で構成することはなされていない。例えば、特開平１−２５０２５２号公報では、シートの透湿量として、ＡＳＴＭ法（Ｅ−９６−８０Ｄ法）で１００〜４００ｇ／ｍ２／２４ｈ（ＪＩＳ  Ｚ０２０８法で２００〜８００ｇ／ｍ２／２４ｈ）のシートが用いられている。また、特許第２１３６２００号では、通気量０．１〜０．８×１０−４ｃｍ３／ｃｍ２／ｓｅｃ／Ｔｏｒｒ（ＪＩＳ  Ｐ８１１７法で１５０００〜３００００秒／１００ｃｍ３）の通気性シートが使用され、特開平２−１４９２７２号公報では、ＪＩＳ法で５０００〜１００００秒／１００ｃｍ３の通気性シートが使用されている。
【００１９】
これに対し、本発明では水蒸気発生組成物を水蒸気発生源として積極的に利用するため、水蒸気発生組成物を収容する袋体を、特定の透湿度と透気度を有する透湿性シートを用いて構成する。このため、本発明は、化学カイロにおける同様の組成物の利用方法とは大きく異なる。
【００２０】
また、上述の組成物の発熱反応時に水蒸気が系外に放出されること自体は公知であり、その水蒸気発生効果と加温効果とを利用した毛髪カール用発熱体（特開昭６２−１７２９０７号）が知られている。しかしながら、上述の組成物の発熱反応時に放出される水蒸気温度は、その組成物への通気量を制御せず、大気中に開放又はそれに近い状態にすると６０℃以上となる。適用する対象が毛髪である場合には、６０℃以上の水蒸気は問題とならないが、皮膚や粘膜の場合には、６０℃以上の水蒸気が持続的に供給されると傷害をおこすおそれがある。そこで、本発明においては、水蒸気発生体を皮膚又は粘膜に適用する場合には、水蒸気発生体から放出される水蒸気の温度を、５０℃以下に温度制御する。
【００２１】
本発明において、水蒸気発生体から放出される水蒸気温度を５０℃以下に制御するにあたり、その温度測定は、ＪＩＳ  Ｓ４１００使い捨てカイロの温度測定法に準じる。
【００２２】
温度制御の一つの態様としては、水蒸気発生組成物を収容した袋体上に温度調節材を設け、水蒸気発生組成物から放出された水蒸気が温度調節材を透過することにより水蒸気温度が下がるようにする。
【００２３】
温度調節材の構成素材としては、（１）織布、不織布、（２）紙、合成紙等の紙類、（３）プラスチック、天然ゴム、再生ゴム又は合成ゴムから形成した多孔性フィルム又は多孔性シート、（４）穿孔を有するウレタンフォーム等の発泡プラスチック、及び（５）穿孔を有するアルミ箔等の金属箔を、単独で、あるいは適宜組み合わせて使用することができる。
【００２４】
温度調節材を用いて温度制御する場合、温度調節材が水蒸気の通過抵抗にもなることから、温度調節材の種類や厚みの選択等は、温度調節材も含めた水蒸気発生体表面から所定量の水蒸気が放出されるように行う。
【００２５】
温度制御の他の態様としては、水蒸気発生組成物を収容した袋体と任意の適用対象物（例えば、皮膚又は粘膜）の適用部位との間に空隙を設けてもよい。このような空隙は、水蒸気発生組成物を収容した袋体と、皮膚又は粘膜等の適用部位との距離が５ｍｍ以上となるようにすることが好ましい。この距離が５ｍｍ未満の場合には、温度制御が不十分で火傷を引き起こす恐れがある。
【００２６】
このような空隙は、水蒸気発生体の外面のうち、少なくとも、水蒸気発生体の皮膚又は粘膜等への適用面を保型性のよいプラスチック成形体等で構成すればよい。
【００２７】
この他、温度制御の態様としては、袋体の一面を透湿性シートで構成し、他面を、酸素を透過できる微細な細孔を有するシートで構成する方法、水蒸気発生体の皮膚又は粘膜に適用する面の最も外側に多量の水を保持したパップ層を設け、その水の熱容量で温度を制御する方法などをあげることができる。前者の場合、シートとしては、ＪＩＳ  Ｐ８１１７法で規定する透気度が、３０００〜４００００秒／１００ｃｍ３のものが好ましい。また、後者のパップ層としては、水溶性高分子の架橋剤による水性ゲルからなるパップ層を用いることが好ましい。
【００２８】
水蒸気発生組成物の量や、水蒸気発生組成物を構成する粒体の粒径等を適宜変えることにより反応速度を調整し、これにより水蒸気発生体表面から放出される水蒸気温度を制御してもよい。水蒸気発生組成物の充填密度としては、水蒸気発生体の使用目的や適用部位等によるが、１ｃｍ２あたり０．０５ｇ〜５ｇが好ましく、０．１５〜２ｇとすることがより好ましい。充填密度が低過ぎると水蒸気発生組成物が発熱しても外気で冷却され、水蒸気が十分に放出されなくなる。反対に充填密度が高過ぎると、水蒸気発生組成物への酸素の供給が非効率的になり、酸化反応が十分に進行しなくなる。
【００２９】
袋体における水蒸気発生組成物の好ましい充填率は、水蒸気発生組成物を収容した袋体の形状が球状、楕円体等の幾何学的形状の場合、水蒸気発生組成物を満量詰めた場合を１として、０．２〜０．９５が好ましく、０．３〜０．８がより好ましい。充填率が低過ぎると水蒸気がほとんど放出されず、反対に高過ぎると酸化反応が十分に進行しなくなる。
【００３０】
本発明においては、皮膚や粘膜を適用対象物とする場合の水蒸気供給効果の点から、水蒸気発生体の皮膚又は粘膜への適用面から放出される水蒸気量を０．０１ｍｇ／ｃｍ２・ｍｉｎ以上、特に、０．５ｍｇ／ｃｍ２・ｍｉｎ以上とすることが好ましい。なお、この水蒸気放出量は、室温環境（２０℃、６５％ＲＨ）下で水蒸気発生体を外気遮断容器から取り出し、直ちに１ｍｇの単位まで測定可能な上皿天秤に載せ、その後１５分間重量測定を行った場合において、測定開始時の重量をＷｔ０（ｇ）とし、１５分後の重量をＷｔ１５（ｇ）とし、水蒸気発生体表面の皮膚又は粘膜に適用する部分の表面積をＳ（ｃｍ２）としたときに、以下の式（１）により算出されるものである。
【００３１】
【数１】
0003565151.tif 000002
【００３２】
また、本発明においては、水蒸気発生組成物を収容する袋体に使用するシートについて、ＪＩＳ  Ｚ０２０８法で規定される、温度４０℃、相対湿度９０％での透湿度を１０００ｇ／ｍ２／２４ｈ以上１００００ｇ／ｍ２／２４ｈ以下とし、ＪＩＳ  Ｐ８１１７法で規定される透気度を２００秒／１００ｃｍ３以下とする。好ましくは透湿度を４０００〜８０００ｇ／ｍ２／２４ｈとし、透気度を好ましくは１〜２００秒／１００ｃｍ３、より好ましくは２〜１００秒／１００ｃｍ３、さらに好ましくは３０〜７０秒／１００ｃｍ３とする。透湿度が１０００ｇ／ｍ２／２４ｈ未満であると十分な水蒸気量を得られない。反対に、透湿度が１００００ｇ／ｍ２／２４ｈを超えると水蒸気発生組成物から微粒子粉体が漏れるおそれが生じる。また、透気度が２００秒／１００ｃｍ３を超えると、水蒸気発生組成物から放出された水蒸気がシートを透過する速度が遅く、水蒸気発生組成物を収容した袋体が膨れてしまい、実用上支障をきたす場合がある。これに対し、透湿度及び透気度を上述の範囲とすることにより、微粒子粉体の漏れや、袋体の膨れを生じさせることなく、水蒸気発生体表面からの水蒸気放出量を０．０１ｍｇ／ｃｍ２・ｍｉｎ以上、特に、０．５ｍｇ／ｃｍ２・ｍｉｎ以上とすることができる。
【００３３】
このような透湿度及び透気度を有するシートの構成素材自体には、特に制限はなく、例えば、ナイロン、ビニロン、ポリエステル、レーヨン、アセテート、アクリル、ポリエチレン、ポリプロピレン、ポリ塩化ビニル等の人工繊維、パルプ、綿、麻、絹、獣毛等の天然繊維から選ばれた１種又は２種以上を混合した織布、不織布、紙、合成紙等があげられる。また、非通気性フィルム又はシート（例えば、ポリエチレン、ポリプロピレン、ポリアミド、ポリエステル、ポリ塩化ビニル、ポリ塩化ビニリデン、ポリウレタン、ポリスチレン、エチレン−酢酸ビニル共重合体ケン化物、エチレン−酢酸ビニル共重合体、天然ゴム、再生ゴム、合成ゴム等）に微孔を設けたものも使用できる。いずれの素材からなるシートを使用する場合でも、シートの細孔径の大きさ、細孔径の密度、目付等を適宜調整することにより、透湿度及び透気度が前述の範囲になるようにする。
【００３４】
水蒸気発生組成物を収容する袋体は、少なくとも一部が上述の透湿度及び透気度を有するシートから構成されていればよく、必ずしも袋体の全面が上述の透湿度及び透気度を有するシートから構成されていなくてもよい。例えば、対向する２面からなる袋体において、その一面を上述の透湿度及び透気度を有するシートから構成し、他面を非透湿性素材から構成してもよい。これにより、水蒸気発生組成物から放出された水蒸気の発散を防止し、水蒸気を所定の方向に効率よく導くことができる。また、袋体の全面を上述の透湿度及び透気度を有するシートから構成した場合に、水蒸気の放出方向を方向づけるために、袋体の一面に非透湿性シートを重ねてもよい。
【００３５】
本発明の水蒸気発生体には、必要に応じ、化粧料又は薬剤の含有層を、化粧料や薬剤の物性や使用目的に応じて、適宜設けることができる。例えば、皮膚又は粘膜から生体中に吸収させる化粧料や薬剤については、水蒸気発生体の皮膚又は粘膜への適用面に湿布やプラスター層を形成し、そこに含有させることが好ましい。また、揮発性が高い薬剤や化粧料については、皮膚又は粘膜への適用面と反対側の面にそれらを含有する層を設けたり、あるいは、水蒸気発生組成物中に含有させてもよい。
【００３６】
化粧料や薬剤の具体例としては、酸性ムコポリサッカライド、ビタミンＥ、ニコチン酸誘導体、アルカロイド化合物等の血行促進剤；
アントシアニン、ビタミンＰ、コンコリット酸等のむくみ改善剤；
アミノフィリン、イノシット等のスリム化剤；
インドメタシン、ジクロフェナック、ケトプロフェン、ｄｌ−カンフル、サリチル酸メチル等の鎮痛剤；
グリセリン等のポリオール類；
セラミド、コラーゲン等の保湿剤；
パパイン等のプロテアーゼからなるピーリング剤；
チオグリコール酸カルシウム等の除毛剤；
γ−オリザノール等の自立神経調整剤；
アンジェリカ種子油、ペパーミント油、イランイラン油、コリアンダー油、サンダルウッド油、ユーカリ油、シダーウッド油、ジャスミン油、ジンジャー油、ティートリー油、パイン油、ニクズク油、パチュリー油、ベルガモット油、ベチバー油、パルマローザ油、マージョラム油、テレビン油、ローズウッド油、ローズマリー油、ラベンダー油、杉胚油等の精油類；
ゲラニオール油、メントール、シトラール、シトロネロール、シネオール、α−セドレン、セドロール、テルピネオール、テルピネン、ネロール、ネロリドール、パチュリーアルコール、ピネン、フェニルエチルアルコール、ベチベロール、ベンジルアセテート、ベンジルアルコール、ボルネオール、リナリルアセテート、リナロール、リモネン、ヒノキチオール等の香り成分；
アロエエキス、海藻エキス、カモミラエキス、センブリエキス、トウキエキス、マロニエエキス、メリッサエキス、ハマメリエキス、ユーカリエキス、ローズマリーエキス、アザミエキス等の植物エキス類；
デカミチルテトラシロキサン、デカメチルシクロペンタンシロキサン、オクタメチルトリシロキサン、オクタメチルシクロテトラシロキサン等のシリコーン類などが挙げられる。
【００３７】
本発明の水蒸気発生体は、密封袋、密封容器等に保管され、そこから取り出して使用される。
【００３８】
本発明の水蒸気発生体は、皮膚又は粘膜に水蒸気を供給することの他、種々の用途に使用することができる。
【００３９】
【実施例】
実施例１〜６、比較例１〜３
表１の組成の水蒸気発生組成物を調製した。一方、表２に示す透湿度（ＪＩＳ  Ｚ０２０８法（４０℃、相対湿度９０％））及び透気度（ＪＩＳ  Ｐ８１１７法）を有する試作シートを用いて、８×８ｃｍの袋体を作製し、これに上述の水蒸気発生組成物を１０ｇ収容した。なお、実施例３および４は、皮膚又は粘膜への適用面の透気度が１００秒／ｃｍ３を超える参考例に相当する。
【００４０】
【表１】
0003565151.tif 000003
【００４１】
【表２】
0003565151.tif 000004
【００４２】
評価
実施例１〜６及び比較例１〜３で得られた水蒸気発生体について、以下の（１）〜（３）の評価を行った。結果を表３に示す。
【００４３】
（１）  粉洩れ試験
水蒸気発生体を使用後、手のひらで軽くパッティングを行い、シートを通して漏れ出てくる粉体の有無を顕微鏡で観察し、次の基準により評価した。
○：粉体の漏れが認められない場合
×：粉体の漏れが認められる場合
【００４４】
（２）  発熱中の水蒸気発生体の袋の膨れの有無を目視にて観察し、次の基準により評価した。
○：膨れが認められない場合
△：膨れはややあるが、実用上問題ない場合
△：膨れが顕著で実用上使用できない場合
【００４５】
（３）  水蒸気放出量
前述の式（１）で求められる水蒸気放出量を求めた。
【００４６】
【表３】
0003565151.tif 000005
【００４７】
表３の結果から、実施例１〜６の水蒸気発生体は、粉漏れが無く、実用上問題になる膨れもなく、水蒸気を十分に放出するので、任意の部位に適用できることがわかる。これに対し、透湿度が１００００ｇ／ｍ２／２４ｈを超える比較例１は粉洩れを起こすこと、透気度が２００秒／１００ｃｍ３を超える比較例２の透湿性シートは袋体が膨れること、透湿度は１０００ｇ／ｍ２／２４ｈより低いが透気度が２００を超える比較例３は、粉洩れも袋体の膨れも生じないが、水蒸気放出量が低いことがわかる。
【００４８】
実施例７
一面に透湿度７８００ｇ／ｍ２／２４ｈ、透気度３６秒／１００ｃｍ３の透湿性シートを使用し、他面に非透湿性シート（日東電工社製、ニトタック）を使用して１辺３ｃｍの正方形の袋体を２個作製し、実施例１と同様の水蒸気発生組成物３ｇを充填した。
【００４９】
図１に示すように、水蒸気発生組成物１を充填した袋体２の２個を、透湿性シート面２ａを上に向け、非透湿性シート面２ｂを支持体としての不織布３ａ（チッソ社製、エアレード、坪量２４ｇ／ｍ２）に両目の間隔をあけて並べて接着固定し、透湿性シート面２ａ上に温度調節材３（１層の紙３ｂ（クレシア社製、キムタオル）、２層の不織布３ａ（チッソ社製、エアレード、坪量２４ｇ／ｍ２）、１層の紙３ｂ、２層の不織布３ａ）を設け、全体をアイマスク形状に作製した透湿性不織布からなる外袋４（三井化学社製、シンテックスＭＢ）に収容し、アイマスク形状の水蒸気発生体１０Ａを作製し、さらにその外側全体を気密性袋５（旭化成ポリフレックス社製、飛竜）で密封した。
【００５０】
この水蒸気発生体１０Ａを気密性袋５から取り出すと、その後６０秒で温度４０〜４２℃の水蒸気を１０分間放出した。その間、袋体２の膨れはなかった。また、水蒸気放出が終了した後、透湿性不織布からなる外袋４の表面には、粉体の付着は認められなかった。
【００５１】
実施例２
表４の組成の水蒸気発生組成物を調製した。
【００５２】
【表４】
0003565151.tif 000006
【００５３】
また、透湿度（ＪＩＳ  Ｚ０２０８法（４０℃、相対湿度９０％））８２００ｇ／ｍ２／２４ｈ及び透気度（ＪＩＳ  Ｐ８１１７法）２５秒／１００ｃｍ３を有するシートを用いて、８×８ｃｍの袋体を作製し、これに上述の水蒸気発生組成物を２５ｇ収容し、気密性袋に密封した。
【００５４】
一方、図２に示すように、半球状の断面を有するポリプロピレン製のマスク成型品７と、その両端に取り付けられた耳掛け用ゴム８からなるマスク本体を作製した。
【００５５】
気密性袋から、上述の水蒸気発生組成物１を充填した袋体２を取り出し、直ちにマスク成型品７の内面に押し込むことによって固定し、マスク様水蒸気発生体１０Ｂを得た。マスク様水蒸気発生体１０Ｂは、装着時に顔面と袋体２の表面との間に約３ｃｍの距離があった。
【００５６】
このマスク様水蒸気発生体１０Ｂは、袋体２を気密性袋５から取り出した後６０秒で温度４０〜４５℃の水蒸気を１０分間放出した。その間、袋体２の膨れはなかった。また、水蒸気放出が終了した後、袋体２の表面には、粉体の付着は認められなかった。
【００５７】
【発明の効果】
本発明の水蒸気発生体は、十分な量の水蒸気を放出するにもかかわらず、粒子粉体の洩れがなく、任意の適用対象物あるいは任意の部位に安全に適用することができる。
【００５８】
【図面の簡単な説明】
【図１】水蒸気発生体の平面図（同図（ａ））及び断面図（同図（ｂ））である。
【図２】水蒸気発生体の平面図（同図（ａ））及び断面図（同図（ｂ））である。
【符号の説明】
１    水蒸気発生組成物
２    袋体
２ａ  透湿性シート面
２ｂ  非透湿性シート面
３    温度調節材
３ａ  不織布
３ｂ  紙
４    透湿性不織布からなる外袋
５    気密性袋
７    マスク成型品
８    耳掛け用ゴム
１０Ａ、１０Ｂ    水蒸気発生体
【図１】
0003565151.tif 000007
【図２】
0003565151.tif 000008